(57)【要約】      （修正有）【課題】掃除の手間が減り、ヌメリや臭いを抑えながら商品価値が損なわれにくくなる流し台用ゴミ籠を提供する。【解決手段】キッチン流し台の排水口に装着されるゴミ籠３であって、ゴミ籠３の籠本体３ａの底部３１，側部３２の外側面３１ａの一部のみに銅メッキを施し、銅メッキ部分によりヌメリ、臭いの発生を抑えて、掃除の手間を少なくすると共に、ゴミ籠３は、回転可能に回転装置に連繋させ、銅メッキ部分の銅イオンを、回転により外側に拡散させて、ゴミ籠全体および流し台の排水口のヌメリを抑えながら臭いの発生を防ぎ、また、回転による遠心力で良好な排水能力が得られる。【選択図】図３
2013096052.tif 000002
【特許請求の範囲】
【請求項１】
キッチン流し台の排水口に装着されるゴミ籠であって、該ゴミ籠の外側面のみに銅メッキが施されていることを特徴とする流し台用ゴミ籠。
【請求項２】
前記ゴミ籠の外側面の一部のみに銅メッキが施されている請求項１に記載の流し台用ゴミ籠。
【請求項３】
前記ゴミ籠は、回転可能に回転装置に連繋されていることを特徴とする請求項２に記載の流し台用ゴミ籠。
【発明の詳細な説明】
【技術分野】
【０００１】
本発明は、キッチン流し台の排水口に装着されるゴミ籠に関するものである。
【背景技術】
【０００２】
従来、特許文献１に開示されているように、ゴミ籠（ゴミ受けすのこ）の少なくとも一部の表面側に、除菌・抗菌性金属被膜（銀，銅，亜鉛）を備えるものが存在する。
【先行技術文献】
【特許文献】
【０００３】
【特許文献１】実用新案登録第３１３３９０５号公報
【発明の概要】
【発明が解決しようとする課題】
【０００４】
上記特許文献１に開示されているゴミ籠（ゴミ受けすのこ）では、表面側に金属被膜が形成されたものであり、水分が溜まり易いゴミ籠の底部裏側のヌメリを十分に抑制することはできないものであった。また、経年使用で表面側の金属被膜の見栄えが悪化して商品価値が損なわれてしまうという問題点があった。
なお、ゴミ籠のヌメリの発生は細かいゴミの付着の原因になり、掃除の手間を増やすものであり、さらに、ヌメリは臭いの元となるものであった。このようなヌメリを防止するためには、銅材が効果的であることが知られているが、銅材でゴミ籠を作るとなると高コストとなり、さらに経年使用で銅が硫黄成分と反応して斑状に黒変してしまい、見栄えが悪化して商品価値が損なわれてしまうという問題点があった。
【課題を解決するための手段】
【０００５】
本発明は、掃除の手間が減り、ヌメリ，臭いを抑えながら商品価値が損なわれることのない流し台用ゴミ籠の提供を目的とし、この目的の少なくとも一部を達成するために以下の手段を採った。
本発明の流し台用ゴミ籠は、キッチン流し台の排水口に装着されるゴミ籠であって、該ゴミ籠の外側面のみに銅メッキが施されていることを要旨とする。
【発明の効果】
【０００６】
本発明の流し台用ゴミ籠では、外側面のみに銅メッキが施されているため、銅メッキにより、水分が溜まり易いゴミ籠の裏側のヌメリを抑えながら臭いの発生も抑制することができ、掃除の手間が減るゴミ籠となり、また、銅メッキの部分が経年使用で斑状に黒変しても、この黒変する部分はゴミ籠の外側面、即ち裏側の使用者からは見えない部分であるため、ゴミ籠の商品価値が損なわれにくいものとなる。
【０００７】
また、本発明の流し台用ゴミ籠において、前記ゴミ籠の外側面の一部のみに銅メッキが施されているものとすることもできる。
こうすれば、銅メッキの施されている部分は外側面の一部のみであるため、黒変する部分が少なくなり、この黒変する部分を使用者が直視することはないために商品価値が損なわれにくくなる。しかも銅メッキ部分によりヌメリ，臭いの発生を抑えて、掃除の手間を少なくできるものである。
【０００８】
また、ゴミ籠の外側面の一部のみに銅メッキが施されているゴミ籠において、ゴミ籠は回転可能に回転装置に連繋されているものとすることもできる。
こうすれば、ゴミ籠が回転装置を介して回転されることにより、一部のみに施されている銅メッキ部分の銅イオンを、回転により外側へ拡散させて、ゴミ籠全体および流し台の排水口にも銅イオンの作用を拡大させ、ゴミ籠全体および流し台の排水口のヌメリを抑えながら臭いの発生を防ぐことができ、掃除の手間がかからないものとなる。また、回転による遠心力で良好な排水能力が得られる。
【図面の簡単な説明】
【０００９】
【図１】ゴミ籠を備えた排水トラップを流し台の排水口に設けた縦断面構成図である。
【図２】排水トラップの外観斜視図である。
【図３】ゴミ籠の縦断面構成図である。
【図４】ゴミ籠に形成されている透水穴の拡大構成図である。
【図５】従来の透水穴の拡大構成図である。
【図６】外側面の一部のみに銅メッキを施したゴミ籠の縦断面構成図である。
【発明を実施するための形態】
【００１０】
次に、本発明を実施するための形態を実施例を用いて説明する。
図１は、ゴミ籠を装着した排水トラップの縦断面構成図であり、図２は、排水トラップの外観斜視図である。
キッチン流し台１の排水口１ａには排水ボウル２が取り付けられ、この排水ボウル２内にゴミ籠３が内装されている。排水ボウル２の底側には垂下状に排水トラップ５が設けられており、この排水トラップ５内には同軸状に内筒６が垂設されて、排水トラップ５内に封水が形成され、封水の上方に、排水トラップ５から下傾状に排水管５ａが設けられている。
【００１１】
また、排水トラップ５の下端側には回転装置８が設けられている。
この回転装置８は、ケース９内に水車１２が設けられて、水車１２には水車側磁石１３が固定されている。この水車側磁石１３の上方には籠側磁石１４が配置されており、この籠側磁石１４は、ゴミ籠３の底面から内筒６内に垂設されたシャフト７の下端に固定されている。
なお、ケース９には、止水栓に接続される接続管１０と、水栓に接続される接続管１１が設けられている。
【００１２】
このような構成において、止水栓側から接続管１０を通りケース９内に水が流入されて水栓接続管１１側に流出すると、ケース９内の水車１２が水流により回転し、これに伴い水車側磁石１３が回転して、これにつられて籠側磁石１４が回転することにより、シャフト７を介してゴミ籠３が、排水ボウル２内で例えば４００ｒｐｍ程度の回転数で回転され、回転による遠心力でゴミ籠３内の水が脱水され、遠心力による良好な排水能力が確保される。
【００１３】
前記ゴミ籠３は、図３の縦断面図で示すような構造となっており、籠本体３ａの上面外周に樹脂フランジ３ｂが取り付けて構成されており、籠本体３ａは、例えばステンレス製のパンチングメタルで構成されて、略水平な底部３１から筒状に側部３２が立ち上げられて、上面が開放された籠状に形成されている。
【００１４】
この籠本体３ａの底部３１および側部３２には、図４に拡大して示すような多数の透水穴３１ｃが貫通形成されている。この透水穴３１ｃの穴径は、例えば直径０．８ｍｍであり、透水穴３１ｃと透水穴３１ｃの穴間隔は疎に設定されている。
即ち、図５に従来の透水穴を示すが、図５の従来の透水穴では、透水穴３１ｃの穴径は直径１．２ｍｍであり、穴と穴の間隔は密に設定されていた。
【００１５】
このゴミ籠３の籠本体３ａの外側面３１ａ、即ち底部３１および側部３２の裏側の面３１ａには、銅メッキが施されており、表側の内周を形成する内側面３１ｂには銅メッキは施されていない。
このように籠本体３ａの外側面３１ａのみに銅メッキが施されており、銅メッキにより籠本体３ａのヌメリの発生を抑えることができるものである。特に、籠本体３ａの底部３１には、水分やゴミが溜まるが、この水分やゴミによるヌメリを良好に銅メッキにより抑制することができる。
ヌメリを抑制することができるため臭いの発生も少なくすることができ、また、ゴミ籠３の掃除の手間を減らすことができるものとなる。
【００１６】
また、経年使用により、銅メッキの部分は、硫黄成分と反応して斑状に黒変してくるが、この黒変する部分は籠本体３ａの外側面３１ａであるため、使用者が上方側からゴミ籠３を見た場合に、この外側面３１ａの黒変は見えないものであり、銅メッキ部分の黒変による見栄えの悪化を直視することが少なく、ゴミ籠３の商品価値が損なわれにくいものとなる。
【００１７】
なお、本例では、透水穴３１ｃは図４のように穴径が小さく、穴間隔は疎で、穴数が少なく設定されているため、ゴミと排水が銅メッキの部分に接する面積が大で、良好にヌメリや臭いの発生を抑制することができるものである。
【００１８】
なお、更に図６に示すゴミ籠３では、籠本体３ａの底部３１の中央付近の外側面３１ａの一部にのみ銅メッキ部分Ｐを形成させたものであり、底部３１の中心付近の狭い面積に銅メッキを施して、安価に形成させたものである。
【００１９】
このように銅メッキ部分Ｐの面積が小さくても、前述した如く、回転装置８を介してゴミ籠３を高速で回転させることにより、回転により銅メッキ部分Ｐの銅イオンは外側へ広がり、籠本体３ａ全体に銅イオンが拡散し、更に銅イオンは排水ボウル２の内周全体にも広がって、ゴミ籠３および排水ボウル２内周のヌメリの発生を良好に抑制することができるものとなる。
【００２０】
また、回転による遠心力で良好な排水能力が確保され、排水はゴミ籠３の透水穴３１ｃを抜けて良好に下方の排水トラップ５内に流れ、更に排水管５ａから排水されるものである。
このようにゴミ籠３を回転装置８を介して回転させることにより、抗菌効果を向上させながら良好な排水能力を確保できるものである。
【符号の説明】
【００２１】
１  キッチン流し台
１ａ  排水口
２  排水ボウル
３  ゴミ籠
３ａ  籠本体
３ｂ  樹脂フランジ
５  排水トラップ
６  内筒
７  シャフト
８  回転装置
１２  水車
１３  水車側磁石
１４  籠側磁石
３１  底部
３１ａ  外側面
３１ｂ  内側面
３１ｃ  透水穴
３２  側部
Ｐ  銅メッキ部分
【図１】
2013096052.tif 000003
【図２】
2013096052.tif 000004
【図３】
2013096052.tif 000005
【図４】
2013096052.tif 000006
【図５】
2013096052.tif 000007
【図６】
2013096052.tif 000008